(57)【要約】【課題】  狙った方向に最適なボールを打ち出すことのできるゴルフクラブ用パターを提供する。【解決手段】  ヘッド２の重心位置２１と、パター１全体の重心位置１１とを結んだ直線上に、グリップエンドの中心点４１（図芯）と、グリップエンド４１から１０cm〜３０cmの範囲におけるグリップ４の中心軸線に垂直な方向の１断面の中心点４２（図芯）とが、存在するゴルフクラブ用パター１とする。【選択図】          図４
2008125539.tif 000002
【特許請求の範囲】
【請求項１】
シャフトの中心軸線上にヘッドの重心位置がないパターにおいて、
パター全体の重心位置と、グリップエンドの中心点（図芯）とを結んだ直線上に、
前記グリップエンドから１０cm〜３０cmの範囲におけるグリップの中心軸線に垂直な方向の１断面の中心点（図芯）が、
存在するゴルフクラブ用パター。
【請求項２】
シャフトの中心軸線上にヘッドの重心位置がないパターにおいて、
前記ヘッドの重心位置と、パター全体の重心位置とを結んだ直線上に、
グリップエンドの中心点（図芯）が、
存在するゴルフクラブ用パター。
【請求項３】
シャフトの中心軸線上にヘッドの重心位置がないパターにおいて、
前記ヘッドの重心位置と、パター全体の重心位置とを結んだ直線上に、
前記グリップエンドから１０cm〜３０cmの範囲におけるグリップの中心軸線に垂直な方向の１断面の中心点（図芯）が、
存在するゴルフクラブ用パター。
【請求項４】
シャフトの中心軸線上にヘッドの重心位置がないパターにおいて、
前記ヘッドの重心位置と、パター全体の重心位置とを結んだ直線上に、
グリップエンドの中心点（図芯）と、前記グリップエンドから１０cm〜３０cmの範囲におけるグリップの中心軸線に垂直な方向の１断面の中心点（図芯）とが、
存在するゴルフクラブ用パター。
【発明の詳細な説明】
【技術分野】
【０００１】
本発明は、狙った方向に最適なボールを打ち出すことのできるゴルフクラブ用パターに関する。
【背景技術】
【０００２】
ゴルフのパッティング動作を分析すると、ウッドクラブやアイアンクラブのスイングと異なり、ほとんどの動作がパターのグリップエンドあるいは肩部分を回転中心とした振り子運動である。
振り子運動を正確に、無駄なく行うには、振り子の支点（グリップエンドや肩）に加わる力に、振り子の円運動方向のトルク以外の力を与えないのが理想である。
【０００３】
そこで、フェースのぶれを最小にして、安定のよいパットストロークを行なうことができるように、シャフトの中心軸線上にヘッドの重心位置が存在するようにパターを設計することが行われていた。
【０００４】
例えば、特開平６−２８５１８６号には、「シャフトの先端部にヘッドを連設してなるゴルフ用パタークラブにおいて、上記ヘッドの重心位置を上記シャフトの中心軸線上に設定したことを特徴とするゴルフ用パタークラブ。」が開示されている。
しかし、前記発明のパターは、ヘッドのフェース面に垂直な方向の厚み（いわゆるヘッドの厚み）を厚くすることができず、ヘッド設計の自由度が低くなってしまう。ヘッドの厚みを厚くすると、ヘッドの重心位置がシャフト軸線上からずれてしまうからである。
【０００５】
また、実用新案登録第３０４２４５９号には、「一端にグリップが設けられたロッド部と、該ロッド部の他端に設けられた柱状形のヘッド部とを有し、ロッド部の軸線は、ヘッド部の柱状形の軸線の中点で該軸線と直交し、ヘッド部には、柱状形の軸線方向の端面にパター面が形成されたものであることを特徴とするゴルフパター。」が開示されている。
前記パターは、柱状形のヘッド部の端面にフェース面（パター面）を形成しているため、特殊な形状といわざるを得ず、万人向けのパターといえるものではなかった。
【０００６】
さらに、実開平６−８０４５３号には、「ヘッドの両端部を重くし、このヘッドのフェース面上部で中央よりも一端側へ片寄った位置にシャフトの先端を固定し、このシャフトの先端側を屈曲させ、シャフトの途中からグリップ部分をヘッドのフェース面中央部の略直上に位置させたパター。」が開示されている。
本考案は、シャフト軸線上にヘッドのフェース面中央部を位置させることは開示されているが、ヘッドの重心位置はフェース面よりも後方にあるから、シャフト軸線上にヘッドの重心が位置するものではない。
特に、最近のパターは、フェース面後方に長く突出したデザインのものが多いため、ヘッドの重心もフェース面からかなり後方に位置するものが多くなっている。このような場合、シャフト軸線上のフェース面とヘッドの重心とは離れた位置関係になってしまうものであった。
【０００７】
【特許文献１】特開平６−２８５１８６号
【特許文献２】実用新案登録第３０４２４５９号
【特許文献３】実開平６−８０４５３号
【発明の開示】
【発明が解決しようとする課題】
【０００８】
そこで、本発明は、グリップエンドの中心点（図芯）と、パター全体の重心位置と、ヘッドの重心位置との関係を最適に設計することにより、ゴルフのパッティング動作時に、パターのグリップエンドあるいは肩部分を回転中心とした振り子運動を正確に、無駄なく行わせ、かつ、振り子の支点（グリップエンドや肩）に加わる力に、振り子の円運動方向のトルク以外の力を加えないようにして、狙った方向に最適なボールを打ち出すことができるゴルフクラブ用パターを提供しようとするものである。
【課題を解決するための手段】
【０００９】
請求項１の発明は、シャフトの中心軸線上にヘッドの重心位置がないパターにおいて、パター全体の重心位置と、グリップエンドの中心点（図芯）とを結んだ直線上に、前記グリップエンドから１０cm〜３０cmの範囲におけるグリップの中心軸線に垂直な方向の１断面の中心点（図芯）が、存在するゴルフクラブ用パターである。
【００１０】
前記において、グリップエンドから１０cm〜３０cmの範囲とは、本パターを使用する者が握るグリップ位置の範囲に相当する。そして、前記グリップの把持位置が、パター全体の重心位置方向を指すことになるので、ゴルフのパッティング動作である振り子運動を正確に無駄なく行うことができる。
【００１１】
請求項２の発明は、シャフトの中心軸線上にヘッドの重心位置がないパターにおいて、前記ヘッドの重心位置と、パター全体の重心位置とを結んだ直線上に、グリップエンドの中心点（図芯）が、存在するゴルフクラブ用パターである。
【００１２】
本発明においては、ヘッドの重心位置と、パター全体の重心位置と、グリップエンドの中心点（図芯）が一直線上になるので、ゴルフのパッティング動作である振り子運動を正確に無駄なく行うことができる。
【００１３】
請求項３の発明は、シャフトの中心軸線上にヘッドの重心位置がないパターにおいて、前記ヘッドの重心位置と、パター全体の重心位置とを結んだ直線上に、前記グリップエンドから１０cm〜３０cmの範囲におけるグリップの中心軸線に垂直な方向の１断面の中心点（図芯）が、存在するゴルフクラブ用パターである。
【００１４】
本発明においては、グリップの把持位置であるグリップエンドから１０cm〜３０cmの範囲の中心点（図芯）が、パター全体の重心位置だけでなく、ヘッドの重心位置方向をも指すことになるので、ゴルフのパッティング動作である振り子運動を、無駄なく行うことができるものである。
【００１５】
請求項４の発明は、シャフトの中心軸線上にヘッドの重心位置がないパターにおいて、前記ヘッドの重心位置と、パター全体の重心位置とを結んだ直線上に、グリップエンドの中心点（図芯）と、前記グリップエンドから１０cm〜３０cmの範囲におけるグリップの中心軸線に垂直な方向の１断面の中心点（図芯）とが、存在するゴルフクラブ用パターである。
【００１６】
本発明においては、グリップの把持位置であるグリップエンドの中心点（図芯）及びグリップエンドから１０cm〜３０cmの範囲の中心点（図芯）が、パター全体の重心位置だけでなく、ヘッドの重心位置方向をも指すことになるので、ゴルフのパッティング動作である振り子運動を、最も無駄なく行うことができるものである。
【００１７】
ここで、グリップエンドの中心点とは、グリップエンドを構成する端面の図面上の中心点（図芯）をいう。
パター全体の重心位置とは、パター全体の質量重心のことをいう。
ヘッドの重心位置とは、本発明パターのヘッドをシャフトから抜いた状態で測定したときの質量重心をいう。
【００１８】
なお、完璧に請求項通りのパターを実現することは困難であるが、設計上請求項で規定する３点（請求項１乃至３の場合）あるいは４点（請求項４の場合）のうち、２点を通る線上から残りの１点あるいは２点が半径２ｃｍ、さらに好ましくは半径１ｃｍの範囲にあれば、本発明の所期の目的を達成するものである。
例えば、請求項２について説明すると、ヘッドの重心点とパターの重心を結んだ線上からグリップの図芯が半径２cm、好ましくは半径１cmの範囲内にあれば、本発明の所期の目的を達成するものである。
これは、前記誤差の範囲にあれば、グリップを握ったときに、請求項１乃至４で仮想する直線がグリップを握った手の内側を通ることになるので、ゴルフのパッティング動作である振り子運動を正確に無駄なく行うことができるからである。
【００１９】
また、請求項で規定する「シャフトの中心軸線上にヘッドの重心位置が」あるパターも、完璧に文言通りのパターは存在しないといえる。
ここで、ゴルフ規則によれば、パターにおいてシャフトは、グリップエンドからソール上方１２７ｍｍまでは真っ直ぐでなければならないと規定されている。そこで、真っ直ぐなシャフトの中心軸線上から半径２０ｍｍの範囲にヘッドの重心位置があれば、シャフトの中心軸線上にヘッドの重心位置があるパターとする。
本発明は、フェース面後方に長く突出したデザインに適用することを目的としているからである。
【００２０】
また、グリップエンドから１０cm〜３０cmの範囲は、さらに好ましくは２０cm〜３０cmの範囲である。
【発明の効果】
【００２１】
以上のように、本発明によれば、ゴルフのパッティング動作時に、パターのグリップエンドあるいは肩部分を回転中心とした振り子運動を正確に、無駄なく行うことができるので、振り子の支点（グリップエンドや肩）に加わる力に、振り子の円運動方向のトルク以外の力が加わることが少なく、狙った方向に最適なボールを打ち出すことができるゴルフクラブ用パターを提供できるものである。
【発明を実施するための最良の形態】
【００２２】
以下、本発明の実施例を添付図面に基づいて説明する。
図１〜図４は、本発明のゴルフクラブ用パターの一実施例を示す正面図である。
本発明のゴルフクラブ用パター１は、ヘッド２、シャフト３、グリップ４からなる。
パター１全体の重心位置を１１、ヘッド２の重心位置を２１、グリップ４のグリップエンドの中心点（図芯）を４１とする。さらに、グリップエンドから１０cm〜３０cmの範囲におけるグリップ４の中心軸線に垂直な方向の１断面の中心点（図芯）を４２とする。
【００２３】
図１のパター１においては、パター１全体の重心位置１１と、グリップエンドの中心点（図芯）４１とを結んだ直線上に、グリップエンドから１０cm〜３０cmの範囲におけるグリップ４の中心軸線に垂直な方向の１断面の中心点（図芯）４２が存在するように構成している。
【００２４】
図２のパター１においては、ヘッド２の重心位置２１と、パター１全体の重心位置１１とを結んだ直線上に、グリップエンドの中心点（図芯）４１が存在するように構成している。
【００２５】
図３のパター１においては、ヘッド２の重心位置２１と、パター１全体の重心位置１１とを結んだ直線上に、グリップエンドから１０cm〜３０cmの範囲におけるグリップ４の中心軸線に垂直な方向の１断面の中心点（図芯）４２が存在するように構成している。
【００２６】
図４のパター１においては、ヘッド２の重心位置２１と、パター１全体の重心位置１１とを結んだ直線上に、グリップエンドの中心点（図芯）４１及びグリップエンドから１０cm〜３０cmの範囲におけるグリップ４の中心軸線に垂直な方向の１断面の中心点（図芯）４２が存在するように構成している。
【００２７】
図６は、従来のゴルフクラブ用パターをグリップエンド側からみたところを示し、図５は、本発明のゴルフクラブ用パターをグリップエンド側からみたところを示す説明図である。
図６に示す従来のパターでは、パッティングの際にフェース面２２のスイートスポットにボールが当たったとしても、グリップ４はヘッド２の重心位置２１やパター１全体の重心位置１１方向を向いていない。そのために、グリップ４にはグリップを回転させようとする力６が加わることになる。
そこで、ゴルファーは、パッティング動作時に、パターを振る振り子動作に加えて、グリップ４に加わるトルク６に抗する力も加えなければならない。このトルク６に抗する力が強すぎたり弱すぎたりすると、パターのフェース面２２は開き気味にあるいは被せ気味にボールに当たることになって、狙った方向にボールがいかないことになる。
【００２８】
図５に示す本発明のパターでは、グリップエンド４１の中心点（図芯）、グリップエンドから１０cm〜３０cmの範囲におけるグリップ４の中心軸線に垂直な方向の１断面の中心点（図芯）４２、パター１全体の重心位置１１、ヘッド２の重心位置２１の４点が一直線上にある図４の例を示している。
この場合、パッティングの際にフェース面２２のスイートスポットにボールが当たれば、グリップ４には図６に示す場合のトルク６のような力は何ら加わらない。
従って、ゴルファーは、ゴルフのパッティング動作時に、パターのグリップエンドあるいは肩部分を回転中心とした振り子運動のみをすればよく、正確に狙った方向に最適なボールを打ち出すことができる。
さらに、パターのフェース面２２を意識的に開き気味に当たり、あるいは被せ気味に当たりすることによって、ボールをスライスやフックに打ち分けることも非常にたやすく行うことができるようになる。
【００２９】
図１乃至図３の実施例では、グリップエンド４１の中心点（図芯）、グリップエンドから１０cm〜３０cmの範囲におけるグリップ４の中心軸線に垂直な方向の１断面の中心点（図芯）４２、パター１全体の重心位置１１、ヘッド２の重心位置２１の４点の内３点が一直線上にあるので、図４の実施例ほど厳密ではないものの、略図４の実施例に準ずる効果を期待することができる。
【図面の簡単な説明】
【００３０】
【図１】本発明ゴルフ用パターの一実施例の側面図である。
【図２】他の実施例を示す側面図である。
【図３】他の実施例を示す側面図である。。
【図４】他の実施例を示す側面図である。
【図５】図４のパターをグリップエンド側から見た説明図である。
【図６】従来のパターをグリップエンド側からみた説明図である。
【符号の説明】
【００３１】
１    ゴルフ用パターヘッド
２    ヘッド
３    シャフト
４    グリップ
１１  パター全体の重心位置
２１  ヘッドの重心位置
２２  フェース面
４１  グリップエンドの中心点（図芯）
４２  グリップエンドから１０cm〜３０cmの範囲におけるグリップの中心軸線に垂直な方向の１断面の中心点（図芯）
６    トルク
【図１】
2008125539.tif 000003
【図２】
2008125539.tif 000004
【図３】
2008125539.tif 000005
【図４】
2008125539.tif 000006
【図５】
2008125539.tif 000007
【図６】
2008125539.tif 000008